(57)【要約】【課題】従来のような紙片の発生をなくし、ブラッシングなどによる紙片の除去作業を不要とし、包装箱や壜などに対して紙片が混入することのない段ボール板製仕切りを提供する。【解決手段】溝１５，１６同士で互いに組み合わされる仕切板１１，１２により形成される段ボール板製仕切りであって、互いに組み合わされる仕切板１１，１２の側部および溝１５，１６は、２枚のライナーで挟まれる波板の上下方向に向く各波の長さ方向に対して直交する方向に切断されている部分が存在しないように波状およびジグザグ状に形成されている。【選択図】　　　　図１
2004035061.tif 000002
【特許請求の範囲】
【請求項１】
溝同士で互いに組み合わされる仕切板により形成される段ボール板製仕切りであって、互いに組み合わされる仕切板の側部および溝は、２枚のライナーで挟まれる波板の上下方向に向く各波の長さ方向に対して直交する方向に切断されている部分が存在しないように曲線で形成されていることを特徴とする段ボール板製仕切り。
【発明の詳細な説明】
【０００１】
【発明の属する技術分野】
本発明は例えば壜類やペットボトルなどの被収納物を収納する包装箱において被収納物間に差し込まれて被収納物同士の衝突を防止するための段ボール板製仕切りに関するものである。
【０００２】
【従来の技術】
従来のこの種仕切りとしては、例えば図５〜図９に示すように外形が矩形の２種類の大きさの仕切板１，２を組み合わせて構成されるものが一般に知られている。即ち、前記仕切板１，２は大きさが異なるが、外形がともに矩形で、段ボール板の波板（中芯）３の各波の長さ方向に向いて１組の対向側辺がカッターによる切断によって形成されている。また、仕切板１と仕切板２を組み合わせるために、大きい方の仕切板１にはその横長さ方向に４等分する位置で上端より各波の長さ方向に向いて直線状の溝４が形成されるとともに、小さい方の仕切板２にもその横長さ方向に３等分する位置で下端より各波の長さ方向に向いて直線状の溝５が形成される。そして、大きい方の仕切板１を２枚用意するとともに、小さい方の仕切板２を３枚用意して、大きい方の仕切板１の溝４に小さい方の仕切板２の溝５を係合させて図８に示すような仕切りを組み立てる。
【０００３】
前記波板３は２枚のライナー６，６間に挟まれて、波の先端部７がライナー６，６の内面に接着されることにより段ボール板が作られていることから、１組の対向側辺が各波の長さ方向に向いて切断されるときカッターによる押圧力により波板３が押し潰され（図６参照）、図９にも示すようにその押し潰された波板３がライナー６，６に対して接着されていない箇所であると切断部に糸状の紙片３ａが形成され、切断加工された仕切板１，２の取り扱い時において糸状の紙片３ａが屑として仕切板１，２から外れ落ち、包装箱内に入った状態のまま販売されるという問題や、壜の中に紙片３ａが入り込み、壜の中に充填された内容物に混入してしまうという問題があった。このような問題は前記溝４，５の切断加工によっても同様に生じている。
【０００４】
そこで、このような包装箱や壜に対する紙片３ａの混入をなくすために、切断加工された仕切板１，２の端面などをブラッシングするなどして仕切板１，２の端面などに残っている紙片３ａを取り除いているのが現状であるが、そのような紙片３ａの取り除き作業は非常に手間がかかり面倒である。
【０００５】
【発明が解決しようとする課題】
本発明はこのような課題を解決するもので、前記従来のような紙片の発生をなくし、ブラッシングなどによる紙片の除去作業を不要とし、包装箱や壜などに対して紙片が混入することのない段ボール板製仕切りを提供することを目的とするものである。
【０００６】
【課題を解決するための手段】
この課題を解決するために本発明は、溝同士で互いに組み合わされる仕切板により形成される段ボール板製仕切りであって、互いに組み合わされる仕切板の側部および溝は、２枚のライナーで挟まれる波板の上下方向に向く各波の長さ方向に対して直交する方向に切断されている部分が存在しないように曲線で形成されていることを要旨とするものである。
【０００７】
この構成により、互いに組み合わされる仕切板には２枚のライナーで挟まれる波板の各波の長さ方向に対して直交する方向に切断されている部分が存在しないため、前記従来のような紙片の発生がなく、ブラッシングなどによる紙片の除去作業が不要となり、包装箱や壜などに対して紙片が混入することのない段ボール板製仕切りを提供することができる。
【０００８】
【発明の実施の形態】
以下、本発明の一実施の形態について、図面に基づいて説明する。
図１〜図４において、１１および１２は本実施の形態の段ボール板製仕切りを形成するための互いに大きさの異なる仕切板で、各仕切板１１，１２を起立させた状態において仕切板１１と仕切板１２は高さが同じで、仕切板１１，１２の上端および下端は２枚のライナーで挟まれる波板の上下方向に向く各波の長さ方向に対して直交する方向に切断されている。また、前記仕切板１１，１２の側部は波状（蛇行状）に切断されている。１３，１４は波状側部である。つまり、仕切板１１，１２の波状の側部１３，１４に現れる全ての波板はライナーに対して接着されているところが存在し、その結果糸状の紙片（屑）としてライナーから離れることがないように構成されている。さらに、仕切板１１と仕切板１２を組み合わせるために、大きい方の仕切板１１にはその横長さ方向に４等分する位置で上端より溝１５が形成されるとともに、小さい方の仕切板１２にもその横長さ方向に３等分する位置で下端より溝１６が形成されるのであるが、これらの溝１５，１６についても前記従来例で述べたような各波の長さ方向に向く直線状ではなく、ジグザグ状に切断されている。さらに詳しくは、一方の仕切板１１と他方の仕切板１２は溝１５と溝１６とが係合するとともに、一方の仕切板１１の溝１５が他方の仕切板１２の板部を挟み付け、また他方の仕切板１２の溝１６が一方の仕切板１１の板部を挟み付けることができるように、溝１５，１６の長さ方向の中間部に幅の狭い挟み部１５ａ，１６ａが形成され、溝１５，１６の底部には仕切板１１，１２の最終噛み合いを確実に行なえるように深さの浅い凹部１５ｂ，１６ｂが形成されている。この溝１５，１６においても溝１５，１６に現れる全ての波板はライナーに対して接着されているところが存在し、その結果糸状の紙片（屑）としてライナーから離れることがないように構成されている。
【０００９】
そして、大きい方の仕切板１１を２枚用意するとともに、小さい方の仕切板１２を３枚用意して、大きい方の仕切板１１の溝１５に小さい方の仕切板１２の溝１６を係合させて図３に示すような仕切りを組み立てる。
【００１０】
図３に示すように組み立てられた仕切りは段ボール板製の包装箱１７内にセットされ、包装箱１７内で作られた１２個の仕切り空間に例えば被収納物としてビール壜などの壜１８が収納される。
【００１１】
以上述べたような実施の形態の仕切板１１，１２には２枚のライナーで挟まれる波板の各波の長さ方向に対して直交する方向に切断されている部分が存在せず、糸状の紙片（屑）が仕切板１１，１２から外れ落ち、包装箱１７内に入った状態のまま販売されるという問題や、壜１８の中に紙片が入り込むなどの問題が解決される。
【００１２】
ところで、前記仕切板１１，１２の側部は波状（蛇行状）に切断されており、溝１５，１６はジグザグ状に切断されているが、形状はこれらに限定されるものではなく、２枚のライナーで挟まれる波板の各波の長さ方向に対して直交する方向に切断されている部分が存在しないように曲線（湾曲状、屈曲状などを含む）で形成されていれば良い。
【００１３】
【発明の効果】
以上のように本発明によれば、互いに組み合わされる仕切板には２枚のライナーで挟まれる波板の各波の長さ方向に対して直交する方向に切断されている部分が存在しないため、前記従来のような紙片の発生がなく、ブラッシングなどによる紙片の除去作業が不要となり、包装箱や壜などに対して紙片が混入することのない段ボール板製仕切りを提供することができる。
【図面の簡単な説明】
【図１】本発明の一実施の形態における仕切りに使用される仕切板の正面図である。
【図２】同仕切板の組み合わせ状態を示す斜視図である。
【図３】同仕切りの組み立て状態を示す斜視図である。
【図４】同仕切りを包装箱内に収納して使用する状態を示す斜視図である。
【図５】従来例における仕切りに使用される仕切板の正面図である。
【図６】同仕切板の製造時の要部拡大断面図である。
【図７】同仕切板の組み合わせ状態を示す斜視図である。
【図８】同仕切りの組み立て状態を示す斜視図である。
【図９】同仕切板の要部拡大斜視図である。
【符号の説明】
１１，１２　　　　仕切板
１３，１４　　　　波状側部
１５，１６　　　　溝
１５ａ，１６ａ　　挟み部
１５ｂ，１６ｂ　　凹部
１７　　　　　　　包装箱
１８　　　　　　　壜
【図１】
2004035061.tif 000003
【図２】
2004035061.tif 000004
【図３】
2004035061.tif 000005
【図４】
2004035061.tif 000006
【図５】
2004035061.tif 000007
【図６】
2004035061.tif 000008
【図７】
2004035061.tif 000009
【図８】
2004035061.tif 000010
【図９】
2004035061.tif 000011